(57)【要約】【課題】  全てのチャンネルの受信感度を即座に確認できる放送受信装置を実現する。【解決手段】  チューナ部２０１は、アンテナＡＮＴ２を介して入力される受信信号から複数のチャンネルの放送信号帯域を一括して抽出し、抽出した放送信号帯域を周波数変換して複数のチャンネルの放送信号を含む中間周波信号を形成する。復調部２０２は、中間周波信号に含まれる複数のチャンネルの放送信号を個別に抽出する。制御部１０２は、復調部２０２が抽出する各チャンネルの放送信号の受信感度を測定して記憶するチャンネルスキャンを行い、チャンネルスキャン終了時に記憶された各チャンネルの受信感度を一覧表示する。したがって、１つのチューナで選局受信するよう構成されていても、全てのチャンネルの受信感度を即座に確認できる。【選択図】  図１
2005269506.tif 000002
【特許請求の範囲】
【請求項１】
アンテナを介して入力される受信信号から複数のチャンネルの放送信号を含む放送信号帯域を受信する帯域受信手段と、
前記放送信号帯域に含まれる複数のチャンネルの放送信号をチャンネル順に指定する指定手段と、
前記指定手段によりチャンネル順に指定される放送信号を、前記帯域受信手段が受信する放送信号帯域から順番に抽出する抽出手段と、
前記抽出手段により順次抽出される各チャンネルの放送信号の受信感度を測定して表示する感度表示手段と
を具備することを特徴とする放送受信装置。
【請求項２】
アンテナを介して入力される受信信号から複数のチャンネルの放送信号を含む放送信号帯域を抽出する第１の抽出手段と、
前記第１の抽出手段により抽出される放送信号帯域を周波数変換して複数のチャンネルの放送信号を含む中間周波信号を発生する中間周波発生手段と、
前記中間周波発生手段から出力される中間周波信号に含まれる複数のチャンネルの放送信号をチャンネル別に抽出する第２の抽出手段と、
前記第２の抽出手段により抽出される各チャンネルの放送信号の受信感度を測定する受信感度測定手段と、
前記受信感度測定手段により測定される受信感度をチャンネル毎に記憶しておき、当該受信感度測定手段が全てのチャンネルの放送信号について受信感度を測定し終えた場合に、記憶しておいたチャンネル毎の受信感度を表示する受信感度表示手段と
を具備することを特徴とする放送受信装置。
【請求項３】
アンテナを介して入力される受信信号から複数のチャンネルの放送信号を含む放送信号帯域を受信する帯域受信手段と、
前記帯域受信手段により受信された放送信号帯域から複数のチャンネルの放送信号をチャンネル別に抽出し、それぞれ個別に復調復号してチャンネル別の映像／音声データを出力する復調復号手段と、
録画する録画チャンネルと視聴する指定チャンネルとを設定するチャンネル設定手段と、
前記復調復号手段の出力の内、前記録画チャンネルの映像／音声データを録画し、前記指定チャンネルの映像／音声データを再生する録画再生手段と、
前記復調復号手段によって抽出される複数のチャンネルの放送信号の内、前記指定チャンネル以外の他のチャンネルの放送信号の受信感度を測定して表示する感度表示手段と
を具備することを特徴とする放送受信装置。
【請求項４】
アンテナを介して入力される受信信号から複数のチャンネルの放送信号を含む放送信号帯域を抽出し、抽出した放送信号帯域を周波数変換して複数のチャンネルの放送信号を含む中間周波信号を出力する受信手段と、
前記受信手段が出力する中間周波信号から複数のチャンネルの放送信号をチャンネル別に抽出する抽出手段と、
前記抽出手段により抽出されたチャンネル別の放送信号を、それぞれ個別に復調復号して映像／音声データを出力する復調復号手段と、
録画する録画チャンネルと視聴する指定チャンネルとを設定するチャンネル設定手段と、
前記復調復号手段の出力の内、前記録画チャンネルの映像／音声データを録画し、前記指定チャンネルの映像／音声データを再生する録画再生手段と、
前記抽出手段により抽出される複数のチャンネルの放送信号の内、前記指定チャンネル以外の他のチャンネルの放送信号の受信感度を測定する測定手段と、
前記測定手段により測定され、前記指定チャンネル以外の他のチャンネルの放送信号の受信感度を表示する表示手段と
を具備することを特徴とする放送受信装置。
【請求項５】
前記表示手段は、複数のチャンネル表示エリアを有し、前記測定手段により測定された前記指定チャンネル以外の他のチャンネルの受信感度に応じて、対応するチャンネル表示エリアの表示形態を変化させて受信感度を表示すると共に、前記チャンネル設定手段により設定された前記指定チャンネルおよび前記録画チャンネルに対応するチャンネル表示エリアの表示形態を変更することを特徴とする請求項４記載の放送受信装置。
【請求項６】
アンテナを介して入力される受信信号から複数のチャンネルの放送信号を含む放送信号帯域を受信する帯域受信処理と、
前記放送信号帯域に含まれる複数のチャンネルの放送信号をチャンネル順に指定する指定処理と、
前記指定処理によりチャンネル順に指定される放送信号を、前記帯域受信処理で受信される放送信号帯域から順番に抽出する抽出処理と、
前記抽出処理により順次抽出される各チャンネルの放送信号の受信感度を測定して表示する感度表示処理と
をコンピュータで実行させることを特徴とする放送受信処理プログラム。
【請求項７】
アンテナを介して入力される受信信号から複数のチャンネルの放送信号を含む放送信号帯域を抽出する第１の抽出処理と、
前記第１の抽出処理により抽出される放送信号帯域を周波数変換して複数のチャンネルの放送信号を含む中間周波信号を発生する中間周波発生処理と、
前記中間周波発生処理にて生成される中間周波信号に含まれる複数のチャンネルの放送信号をチャンネル別に抽出する第２の抽出処理と、
前記第２の抽出処理により抽出される各チャンネルの放送信号の受信感度を測定する受信感度測定処理と、
前記受信感度測定処理にて測定された受信感度をチャンネル毎に記憶しておき、当該受信感度測定処理が全てのチャンネルの放送信号について受信感度を測定し終えた場合に、記憶しておいたチャンネル毎の受信感度を表示する受信感度表示処理と
をコンピュータで実行させることを特徴とする放送受信処理プログラム。
【請求項８】
アンテナを介して入力される受信信号から複数のチャンネルの放送信号を含む放送信号帯域を受信する帯域受信処理と、
前記帯域受信処理により受信された放送信号帯域から複数のチャンネルの放送信号をチャンネル別に抽出し、それぞれ個別に復調復号してチャンネル別の映像／音声データを出力する復調復号処理と、
録画する録画チャンネルと視聴する指定チャンネルとを設定するチャンネル設定処理と、
前記復調復号処理の出力の内、前記録画チャンネルの映像／音声データを録画し、前記指定チャンネルの映像／音声データを再生する録画再生手段と、
前記復調復号処理にて抽出される複数のチャンネルの放送信号の内、前記指定チャンネル以外の他のチャンネルの放送信号の受信感度を測定して表示する感度表示処理と
をコンピュータで実行させることを特徴とする放送受信処理プログラム。
【請求項９】
アンテナを介して入力される受信信号から複数のチャンネルの放送信号を含む放送信号帯域を抽出し、抽出した放送信号帯域を周波数変換して複数のチャンネルの放送信号を含む中間周波信号を出力する受信処理と、
前記受信処理にて得られた中間周波信号から複数のチャンネルの放送信号をチャンネル別に抽出する抽出処理と、
前記抽出処理により抽出されたチャンネル別の放送信号を、それぞれ個別に復調復号して映像／音声データを出力する復調復号処理と、
録画する録画チャンネルと視聴する指定チャンネルとを設定するチャンネル設定処理と、
前記復調復号処理にて得られる前記録画チャンネルの映像／音声データを録画し、前記復調復号処理にて得られる前記指定チャンネルの映像／音声データを再生する録画再生処理と、
前記抽出処理にて抽出される前記指定チャンネル以外の他のチャンネルの放送信号の受信感度を測定する測定処理と、
前記測定処理により測定され、前記指定チャンネル以外の他のチャンネルの放送信号の受信感度を表示する表示処理と
をコンピュータで実行させることを特徴とする放送受信処理プログラム。
【請求項１０】
前記表示処理は、前記測定処理にて測定された前記指定チャンネル以外の他のチャンネルの受信感度に応じて、複数のチャンネル表示エリアの内から対応するチャンネル表示エリアの表示形態を変化させて受信感度を表示すると共に、前記チャンネル設定処理にて設定された前記指定チャンネルおよび前記録画チャンネルに対応するチャンネル表示エリアの表示形態を変更することを特徴とする請求項９記載の放送受信処理プログラム。
【発明の詳細な説明】
【技術分野】
【０００１】
本発明は、テレビ放送受信機能を備えた携帯電話やカーナビゲーションシステム、あるいはポケットＴＶなどに用いて好適な放送受信装置および放送受信処理プログラムに関する。
【背景技術】
【０００２】
地上デジタルテレビジョン放送では、１チャンネル当り約６ＭＨｚの伝送帯域幅を１３のセグメント（ＯＦＤＭセグメント）に分割し、その中央の１セグメントを移動受信用に割当てており、近年、そのセグメントで放送される番組を受信する放送受信装置が開発されている。
この種の装置として、例えば特許文献１には、移動受信時における受信電波到来方向の変化等による受信品質の低下を軽減する為に、アンテナ、チューナおよび復調部を複数備え、これらで受信復調される複数の復調信号の内から最良の受信品質のものを選択するものが開示されている。
【０００３】
【特許文献１】特開２００２−２４６９３０号公報
【発明の開示】
【発明が解決しようとする課題】
【０００４】
ところで、地上デジタルテレビジョン放送は、移動受信に適した伝送方式を採用しているものの、受信場所によっては電波伝播経路の差異などによりチャンネル毎に受信感度（映り具合）が異なることも起こり得る。上記特許文献１に開示の放送受信装置のように、複数のチューナを備える構成であれば、全てのチャンネルを一括して同時受信することで各チャンネルの受信感度を即座に確認することができる。
【０００５】
しかしながら、例えば携帯電話などのように、小型軽量化が重視される機器に搭載される放送受信装置の場合には、コスト面や実装面あるいは消費電力の制約から複数のチューナを搭載することはなく、通常、１つのチューナで選局受信するように構成されることが多い。また、周知のように、デジタル放送受信では、「リップシンク」と呼ばれ、映像／音声の再生タイミングのずれを防ぐためのＡＶ同期等が行われ、これにより選局してから初期映像が映し出されるまでに所定の遅延時間を要している。
【０００６】
したがって、１つのチューナで選局受信するよう構成された放送受信装置の場合、各チャンネルについて順番に受信感度を確認しようとすると、選局受信する度に初期映像が映し出されるまで待機せねばならない為、全てのチャンネルの受信感度を即座に確認することが出来ないという問題が生じる。
加えて、１つのチューナで選局受信するよう構成された放送受信装置が搭載された携帯電話などの機器では、あるチャンネルを視聴しながら、視聴していないチャンネルの受信感度をモニタしたり、番組録画したりすることができないという問題もある。
【０００７】
そこで本発明は、このような事情に鑑みてなされたもので、１つのチューナで選局受信するよう構成されていても、全てのチャンネルの受信感度を即座に確認できる他、あるチャンネルを視聴中に視聴していない他のチャンネルの受信感度をモニタしたり、番組録画したりすることができる放送受信装置および放送受信処理プログラムを提供することを目的としている。
【課題を解決するための手段】
【０００８】
上記目的を達成するため、請求項１に記載の発明では、アンテナを介して入力される受信信号から複数のチャンネルの放送信号を含む放送信号帯域を受信する帯域受信手段と、前記放送信号帯域に含まれる複数のチャンネルの放送信号をチャンネル順に指定する指定手段と、前記指定手段によりチャンネル順に指定される放送信号を、前記帯域受信手段が受信する放送信号帯域から順番に抽出する抽出手段と、前記抽出手段により順次抽出される各チャンネルの放送信号の受信感度を測定して表示する感度表示手段とを具備することを特徴とする。
【０００９】
請求項２に記載の発明では、アンテナを介して入力される受信信号から複数のチャンネルの放送信号を含む放送信号帯域を抽出する第１の抽出手段と、前記第１の抽出手段により抽出される放送信号帯域を周波数変換して複数のチャンネルの放送信号を含む中間周波信号を発生する中間周波発生手段と、前記中間周波発生手段から出力される中間周波信号に含まれる複数のチャンネルの放送信号をチャンネル別に抽出する第２の抽出手段と、前記第２の抽出手段により抽出される各チャンネルの放送信号の受信感度を測定する受信感度測定手段と、前記受信感度測定手段により測定される受信感度をチャンネル毎に記憶しておき、当該受信感度測定手段が全てのチャンネルの放送信号について受信感度を測定し終えた場合に、記憶しておいたチャンネル毎の受信感度を表示する受信感度表示手段とを具備することを特徴とする。
【００１０】
請求項３に記載の発明では、アンテナを介して入力される受信信号から複数のチャンネルの放送信号を含む放送信号帯域を受信する帯域受信手段と、前記帯域受信手段により受信された放送信号帯域から複数のチャンネルの放送信号をチャンネル別に抽出し、それぞれ個別に復調復号してチャンネル別の映像／音声データを出力する復調復号手段と、録画する録画チャンネルと視聴する指定チャンネルとを設定するチャンネル設定手段と、前記復調復号手段の出力の内、前記録画チャンネルの映像／音声データを録画し、前記指定チャンネルの映像／音声データを再生する録画再生手段と、前記復調復号手段によって抽出される複数のチャンネルの放送信号の内、前記指定チャンネル以外の他のチャンネルの放送信号の受信感度を測定して表示する感度表示手段とを具備することを特徴とする。
【００１１】
請求項４に記載の発明では、アンテナを介して入力される受信信号から複数のチャンネルの放送信号を含む放送信号帯域を抽出し、抽出した放送信号帯域を周波数変換して複数のチャンネルの放送信号を含む中間周波信号を出力する受信手段と、前記受信手段が出力する中間周波信号から複数のチャンネルの放送信号をチャンネル別に抽出する抽出手段と、前記抽出手段により抽出されたチャンネル別の放送信号を、それぞれ個別に復調復号して映像／音声データを出力する復調復号手段と、録画する録画チャンネルと視聴する指定チャンネルとを設定するチャンネル設定手段と、前記復調復号手段の出力の内、前記録画チャンネルの映像／音声データを録画し、前記指定チャンネルの映像／音声データを再生する録画再生手段と、前記抽出手段により抽出される複数のチャンネルの放送信号の内、前記指定チャンネル以外の他のチャンネルの放送信号の受信感度を測定する測定手段と、前記測定手段により測定され、前記指定チャンネル以外の他のチャンネルの放送信号の受信感度を表示する表示手段とを具備することを特徴とする。
【００１２】
上記請求項４に従属する請求項５に記載の発明では、前記表示手段は、複数のチャンネル表示エリアを有し、前記測定手段により測定された前記指定チャンネル以外の他のチャンネルの受信感度に応じて、対応するチャンネル表示エリアの表示形態を変化させて受信感度を表示すると共に、前記チャンネル設定手段により設定された前記指定チャンネルおよび前記録画チャンネルに対応するチャンネル表示エリアの表示形態を変更することを特徴とする。
【００１３】
請求項６に記載の発明では、アンテナを介して入力される受信信号から複数のチャンネルの放送信号を含む放送信号帯域を受信する帯域受信処理と、前記放送信号帯域に含まれる複数のチャンネルの放送信号をチャンネル順に指定する指定処理と、前記指定処理によりチャンネル順に指定される放送信号を、前記帯域受信処理で受信される放送信号帯域から順番に抽出する抽出処理と、前記抽出処理により順次抽出される各チャンネルの放送信号の受信感度を測定して表示する感度表示処理とをコンピュータで実行させることを特徴とする。
【００１４】
請求項７に記載の発明では、アンテナを介して入力される受信信号から複数のチャンネルの放送信号を含む放送信号帯域を抽出する第１の抽出処理と、前記第１の抽出処理により抽出される放送信号帯域を周波数変換して複数のチャンネルの放送信号を含む中間周波信号を発生する中間周波発生処理と、前記中間周波発生処理にて生成される中間周波信号に含まれる複数のチャンネルの放送信号をチャンネル別に抽出する第２の抽出処理と、前記第２の抽出処理により抽出される各チャンネルの放送信号の受信感度を測定する受信感度測定処理と、前記受信感度測定処理にて測定された受信感度をチャンネル毎に記憶しておき、当該受信感度測定処理が全てのチャンネルの放送信号について受信感度を測定し終えた場合に、記憶しておいたチャンネル毎の受信感度を表示する受信感度表示処理とをコンピュータで実行させることを特徴とする。
【００１５】
請求項８に記載の発明では、アンテナを介して入力される受信信号から複数のチャンネルの放送信号を含む放送信号帯域を受信する帯域受信処理と、前記帯域受信処理により受信された放送信号帯域から複数のチャンネルの放送信号をチャンネル別に抽出し、それぞれ個別に復調復号してチャンネル別の映像／音声データを出力する復調復号処理と、録画する録画チャンネルと視聴する指定チャンネルとを設定するチャンネル設定処理と、前記復調復号処理の出力の内、前記録画チャンネルの映像／音声データを録画し、前記指定チャンネルの映像／音声データを再生する録画再生手段と、前記復調復号処理にて抽出される複数のチャンネルの放送信号の内、前記指定チャンネル以外の他のチャンネルの放送信号の受信感度を測定して表示する感度表示処理とをコンピュータで実行させることを特徴とする。
【００１６】
請求項９に記載の発明では、アンテナを介して入力される受信信号から複数のチャンネルの放送信号を含む放送信号帯域を抽出し、抽出した放送信号帯域を周波数変換して複数のチャンネルの放送信号を含む中間周波信号を出力する受信処理と、前記受信処理にて得られた中間周波信号から複数のチャンネルの放送信号をチャンネル別に抽出する抽出処理と、前記抽出処理により抽出されたチャンネル別の放送信号を、それぞれ個別に復調復号して映像／音声データを出力する復調復号処理と、録画する録画チャンネルと視聴する指定チャンネルとを設定するチャンネル設定処理と、前記復調復号処理にて得られる前記録画チャンネルの映像／音声データを録画し、前記復調復号処理にて得られる前記指定チャンネルの映像／音声データを再生する録画再生処理と、前記抽出処理にて抽出される前記指定チャンネル以外の他のチャンネルの放送信号の受信感度を測定する測定処理と、前記測定処理により測定され、前記指定チャンネル以外の他のチャンネルの放送信号の受信感度を表示する表示処理とをコンピュータで実行させることを特徴とする。
【００１７】
上記請求項９に従属する請求項１０に記載の発明では、前記表示処理は、前記測定処理にて測定された前記指定チャンネル以外の他のチャンネルの受信感度に応じて、複数のチャンネル表示エリアの内から対応するチャンネル表示エリアの表示形態を変化させて受信感度を表示すると共に、前記チャンネル設定処理にて設定された前記指定チャンネルおよび前記録画チャンネルに対応するチャンネル表示エリアの表示形態を変更することを特徴とする。
【発明の効果】
【００１８】
請求項１，６に記載の発明によれば、アンテナを介して入力される受信信号から複数のチャンネルの放送信号を含む放送信号帯域を受信し、この放送信号帯域に含まれる複数のチャンネルの放送信号をチャンネル順に指定すると、チャンネル順に指定される放送信号を、受信した放送信号帯域から順番に抽出し、抽出された各チャンネルの放送信号の受信感度を測定して表示するので、１つのチューナで選局受信するよう構成されていても、全てのチャンネルの受信感度を即座に確認することができる。
【００１９】
請求項２，７に記載の発明によれば、アンテナを介して入力される受信信号から複数のチャンネルの放送信号を含む放送信号帯域を抽出し、抽出した放送信号帯域を周波数変換して複数のチャンネルの放送信号を含む中間周波信号を生成する。そして、中間周波信号に含まれる複数のチャンネルの放送信号をチャンネル別に抽出し、抽出された各チャンネルの放送信号の受信感度を測定してチャンネル毎に記憶しておき、全てのチャンネルの放送信号について受信感度を測定し終えた場合に、記憶しておいたチャンネル毎の受信感度を表示するので、１つのチューナで選局受信するよう構成されていても、全てのチャンネルの受信感度を即座に確認することができる。
【００２０】
請求項３，８に記載の発明によれば、録画する録画チャンネルと視聴する指定チャンネルとを設定しておき、アンテナを介して入力される受信信号から複数のチャンネルの放送信号を含む放送信号帯域を受信した後、この放送信号帯域から複数のチャンネルの放送信号をチャンネル別に抽出しつつ、それぞれ個別に復調復号してチャンネル別の映像／音声データを発生する。そして、復調復号されたチャンネル別の映像／音声データの内、録画チャンネルの映像／音声データを録画し、指定チャンネルの映像／音声データを再生すると共に、抽出された複数のチャンネルの放送信号の内、指定チャンネル以外の他のチャンネルの放送信号の受信感度を測定して表示するので、あるチャンネルを視聴中に視聴していない他のチャンネルの受信感度をモニタしたり、番組録画したりすることができる。
【００２１】
請求項４，９に記載の発明によれば、録画する録画チャンネルと視聴する指定チャンネルとを設定しておき、アンテナを介して入力される受信信号から複数のチャンネルの放送信号を含む放送信号帯域を抽出し、抽出した放送信号帯域を周波数変換して複数のチャンネルの放送信号を含む中間周波信号を出力する。この後、中間周波信号から複数のチャンネルの放送信号をチャンネル別に抽出する一方、抽出されたチャンネル別の放送信号を、それぞれ個別に復調復号して映像／音声データを発生する。そして、復調復号されたチャンネル別の映像／音声データの内、録画チャンネルの映像／音声データを録画し、指定チャンネルの映像／音声データを再生すると共に、指定チャンネル以外の他のチャンネルの放送信号の受信感度を測定して表示するので、あるチャンネルを視聴中に視聴していない他のチャンネルの受信感度をモニタしたり、番組録画したりすることができる。
【００２２】
請求項５，１０に記載の発明によれば、指定チャンネル以外の他のチャンネルにおいて測定された受信感度に応じて、対応するチャンネル表示エリアの表示形態を変化させて受信感度を表示すると共に、設定された指定チャンネルおよび録画チャンネルに対応するチャンネル表示エリアの表示形態を変更する為、同時受信する複数のチャンネルの内、どのチャンネルを視聴および録画しているかや、視聴していない他のチャンネルの受信感度をユーザに一目瞭然にすることができる。
【発明を実施するための最良の形態】
【００２３】
以下、図面を参照して本発明の実施形態について説明する。
Ａ．第１の実施形態
（１）構成
図１は本発明に係わる放送受信装置が搭載された携帯電話１０の構成を示すブロック図である。携帯電話１０は、携帯電話部１００およびＴＶ部２００から構成される。以下、携帯電話部１００とＴＶ部２００とに分けて各部構成を説明する。
＜携帯電話部１００の構成＞
携帯電話部１００は通信処理部１０１、制御部１０２、ＲＯＭ１０３、ＲＡＭ１０４、操作部１０５、マイク１０６、スピーカ１０７および表示部１０８から構成される。通信処理部１０１は、アンテナＡＮＴ１を介して受信復調して得る音声データを制御部１０２に出力する一方、制御部１０２から供給される音声データを変調して得た送信信号を高周波増幅してアンテナＡＮＴ１から送信する。制御部１０２は、ＣＰＵおよびベースバンド信号処理用のＤＳＰ等から構成され、後述する操作部１０５のスイッチ操作に応じて、携帯電話部１００およびＴＶ部２００の動作を制御する。
【００２４】
携帯電話部１００の機能を担う制御部１０２は、音声信号処理および通信制御処理を実行する。音声信号処理では、通信処理部１０１が発生する通話中の音声データを音声信号にＤ／Ａ変換してスピーカ１０７から発音させたり、マイク１０６から出力される音声信号を音声データにＡ／Ｄ変換して通信処理部１０１に供給する。通信制御処理の内容については、後述の動作説明で述べる。ＲＯＭ１０３は、制御部１０２により実行される音声信号処理や通信制御処理を形成する各種プログラムを記憶する他、各種プログラムで利用される制御データ等を記憶する。
【００２５】
ＲＡＭ１０４は、制御部１０２が実行する各種処理に使われるフラグやレジスタデータを一時記憶するワークエリアや、アドレス帳、着信履歴、発信履歴などを記憶する加入者情報エリア、送受信メールおよび作成メールを記憶するメールエリアおよび待受画面などの各種表示画面を形成する画像データを記憶する表示エリア等を備える。操作部１０５は、パワーオンオフする電源スイッチ、通話開始／終了時に操作されるオフフック／オンフックスイッチ、ダイヤルスイッチと兼用の文字入力スイッチの他、機能設定スイッチ、カーソルスイッチ、決定スイッチ、戻るスイッチ、メール機能の起動を指示するメールスイッチおよびメール送信時に操作される送信スイッチ等を備える。表示部１０８は、カラー液晶パネルおよび表示ドライバから構成され、制御部１０２の制御の下に待受画面など各種画面を表示する。
【００２６】
＜ＴＶ部２００の構成＞
ＴＶ部２００は、ＴＶスイッチ操作に応じてオンオフ設定されるチューナ部２０１、復調部２０２および復号部２０３の他、携帯電話部１００側と共用される制御部１０２、ＲＯＭ１０３、ＲＡＭ１０４、操作部１０５、スピーカ１０７および表示部１０８から構成される。
ここで、図２を参照して本発明の要旨に係わるチューナ部２０１および復調部２０２の構成について説明する。チューナ部２０１は、高周波増幅部（ＬＮＡ）２０１ａ、バンドパスフィルタ（ＢＰＦ）２０１ｂ、混合部（ＭＩＸＥＲ）２０１ｃおよび中間周波増幅部（ＡＭＰ）２０１ｄから構成される。高周波増幅部（ＬＮＡ）２０１ａは、アンテナＡＮＴ２を介して入力される受信信号を低ノイズ高周波増幅して出力する。バンドパスフィルタ（ＢＰＦ）２０１ｂは、帯域幅５６ＭＨｚのバンドパス特性を備え、高周波増幅部（ＬＮＡ）２０１ａが出力する受信信号の内からＵＨＦ帯で放送される９チャンネル分の放送信号帯域を一括抽出する。
【００２７】
混合部（ＭＩＸＥＲ）２０１ｃは、バンドパスフィルタ（ＢＰＦ）２０１ｂによって一括抽出された９チャンネル分の放送信号帯域に局部発信信号を混合し、９チャンネル分の放送信号を含む中間周波信号を発生する。中間周波増幅部（ＡＭＰ）２０１ｄは、混合部（ＭＩＸＥＲ）２０１ｃが発生する中間周波信号を増幅して出力する。このように、チューナ部２０１では、アンテナＡＮＴ２を介して入力される受信信号の内から９チャンネル分の放送信号帯域を抽出し、９チャンネル分の放送信号を含む中間周波信号に周波数変換する。
【００２８】
復調部２０２は、ＡＤ変換器（ＡＤＣ）２０２ａ、バンドパスフィルタ（ＢＰＦ）２０２ｂ、同期処理部２０２ｃ、検波処理部２０２ｄおよび誤り訂正処理部２０２ｅから構成される。ＡＤ変換器（ＡＤＣ）２０２ａは、チューナ部２０１から供給される中間周波信号（９チャンネル分の放送信号を含む）をデジタル信号形式の中間周波データに変換する。バンドパスフィルタ（ＢＰＦ）２０２ｂは、制御部１０２から供給されるＢＰＦ係数に応じて中心周波数が変化する帯域幅６ＭＨｚのバンドパス特性を有するデジタルフィルタであり、中間周波データに含まれる９チャンネル分の放送信号の内からＢＰＦ係数に対応したチャンネルの放送信号を抽出する。同期処理部２０２ｃ、検波処理部２０２ｄおよび誤り訂正処理部２０２ｅでは、ＢＰＦ係数に対応して抽出されたチャンネルの放送信号にＯＦＤＭ復調処理（直交復調、ＦＦＴ演算、検波処理、デ・インタリーブおよびビタビ復号）を施してトランスポートストリーム信号を再生する。
【００２９】
図１に図示する復号部２０３は、トランスポートストリーム信号からＭＰＥＧデータを分離抽出して映像／音声データに復号する。ＴＶ部２００の機能を担う制御部１０２は、復調部２０２のバンドパスフィルタ（ＢＰＦ）２０２ｂにＢＰＦ係数を供給する。また、制御部１０２は、復号部２０３が出力する映像／音声データに基づき表示部１０８に映像表示したり、スピーカ１０７から音声再生する他、バンドパスフィルタ（ＢＰＦ）２０２ｂの出力から受信信号レベルを検出する。操作部１０５には、ＴＶ部２００をオンオフするＴＶスイッチ、選局操作に用いるチャンネルスイッチ、全チャンネルの受信感度を測定するチャンネルスキャンの実行を指示するスキャンスイッチおよびチャンネルスキャン終了を指示する終了スイッチが設けられる。
【００３０】
（２）動作
次に、図３〜図７を参照して制御部１０２の動作を説明する。操作部１０５に配設される電源スイッチが操作されて携帯電話１０をパワーオンすると、制御部１０２は図３に示すステップＳＡ１に処理を進め、携帯電話１０の各部を初期化するイニシャライズを実行する。次いで、ステップＳＡ２では、ＲＯＭ１０３から読み出した待ち受け画像データをＲＡＭ１０４の表示エリアにストアし、ストアされた待ち受け画像データに基づき待受画面を表示部１０８に表示する。次に、ステップＳＡ３以降では、操作部１０５に配設される「オフフックスイッチ」、「オンフックスイッチ」、「ＴＶスイッチ」および「スキャンスイッチ」の操作に対応した処理を実行する。以下、これら各スイッチ操作に対応した処理動作を述べる。
【００３１】
ａ．オフフックスイッチがオン操作された場合
ユーザが通話を開始すべくオフフックスイッチをオン操作したとする。そうすると、ステップＳＡ３の判断結果が「ＹＥＳ」になり、ステップＳＡ４に進み、表示部１０８に表示される画面を待受画面から番号入力画面に変更する。次いで、ステップＳＡ５では、ダイヤルスイッチの操作に応じて入力される電話番号を番号入力画面に画面表示しつつレジスタセットする。続いて、ステップＳＡ６〜ＳＡ７では、レジスタセットされた電話番号に基づき発信および呼出報知を実行する。呼出報知に応じて着呼側がオフフックして回線が接続されると、ステップＳＡ８の判断結果が「ＹＥＳ」になり、ステップＳＡ９に進み、通話処理を実行する。以後、オンフックスイッチがオン操作されるまでステップＳＡ９の通話処理を継続する。
【００３２】
ｂ．オンフックスイッチがオン操作された場合
そして、通話処理（ステップＳＡ９）中にユーザがオンフックスイッチをオン操作すると、ステップＳＡ１０の判断結果が「ＹＥＳ」となり、ステップＳＡ１１に進み、回線を切る終話処理を実行した後、上述のステップＳＡ２に処理を戻して待受画面表示状態に復帰する。
【００３３】
ｃ．ＴＶスイッチがオン操作された場合
ユーザがＴＶスイッチをオン操作すると、図４に示すステップＳＡ１２の判断結果が「ＹＥＳ」になり、ステップＳＡ１３に進み、ＴＶ部２００（チューナ部２０１、復調部２０２および復号部２０３）をオン状態に設定する。続いて、ステップＳＡ１４〜ＳＡ１５では、復号部２０３が発生する映像・音声データに基づき表示部１０８に映像表示すると共に、スピーカ１０７から音声再生する。そして、ステップＳＡ１６以降では、ＴＶ部２００に関するスイッチ操作に対応した処理を実行する。以下では、チャンネルスイッチを操作した場合、ＴＶスイッチをオフ操作した場合およびスキャンスイッチをオン操作した場合に分けて各動作を説明する。
【００３４】
ｄ．チャンネルスイッチを操作した場合
チャンネルスイッチを操作してチャンネル変更すると、ステップＳＡ１６の判断結果が「ＹＥＳ」になり、ステップＳＡ１９に進む。ステップＳＡ１９では、変更されたチャンネルに割当てられたチャンネル番号に対応したＢＰＦ係数を算出する。次いで、ステップＳＡ２０では、算出したＢＰＦ係数を復調部２０２のバンドパスフィルタ（ＢＰＦ）２０２ｂに送出した後、上記ステップＳＡ１４に処理を戻す。これにより、バンドパスフィルタ（ＢＰＦ）２０２ｂは、制御部１０２から供給されるＢＰＦ係数に対応したチャンネルの放送信号を、中間周波データに含まれる９チャンネル分の放送信号の内から抽出する結果、ＴＶ部２００はチャンネルスイッチ操作で変更されたチャンネルの放送を受信するようになる。
【００３５】
なお、上記ステップＳＡ１９では、変更されたチャンネルに割当てられたチャンネル番号に対応したＢＰＦ係数を算出するようにしたが、これに替えて、予めＲＯＭ１０３あるいはＲＡＭ１０４の所定記憶エリアに、チャンネル番号毎のＢＰＦ係数を格納しておき、チャンネルスイッチ操作でチャンネル変更された場合に、その変更されたチャンネル番号に対応するＢＰＦ係数を読み出す態様としても構わない。
【００３６】
ｅ．ＴＶスイッチをオフ操作した場合
ＴＶ部２００がオン設定されている状態でＴＶスイッチをオフ操作すると、ステップＳＡ１７の判断結果が「ＹＥＳ」になり、ステップＳＡ１８に進み、ＴＶ部２００をオフ設定した後、前述したステップＳＡ２（図３参照）に処理を戻して待受画面表示状態に復帰する。
【００３７】
ｆ．スキャンスイッチをオン操作した場合
ＴＶ部２００がオン設定されている状態でスキャンスイッチをオン操作すると、図５に示すステップＳＡ２１の判断結果が「ＹＥＳ」になり、ステップＳＡ２２に進む。ステップＳＡ２２では、現在、バンドパスフィルタ（ＢＰＦ）２０２ｂに与えているＢＰＦ係数をＲＡＭ１０４の所定記憶エリアに退避格納する。次に、ステップＳＡ２３では、チャンネル番号に初期値をストアする。続いて、ステップＳＡ２４では、チャンネル番号に対応するＢＰＦ係数を算出する。そして、ステップＳＡ２５では、算出したＢＰＦ係数を復調部２０２のバンドパスフィルタ（ＢＰＦ）２０２ｂに送出する。この結果、ＴＶ部２００は、初期値設定されたチャンネル番号の放送を受信する。
【００３８】
次いで、ステップＳＡ２６では、ＴＶ部２００の復調部２０２を構成するバンドパスフィルタ（ＢＰＦ）２０２ｂの出力に基づき、現在受信しているチャンネルの受信信号レベルを検出する。そして、ステップＳＡ２７では、検出した受信信号レベルが受信可能レベルであるか否かを判断する。受信可能レベルでなければ、判断結果は「ＮＯ」になり、ステップＳＡ２８に進み、現在のチャンネル番号に対応した受信感度を保持する感度レジスタ（チャンネル番号）に受信不可を表すデータをストアした後、後述するステップＳＡ３３（図６参照）に処理を進める。
【００３９】
一方、検出した受信信号レベルが受信可能レベルであると、上記ステップＳＡ２７の判断結果は「ＹＥＳ」になり、ステップＳＡ２９に進み、検出した受信信号レベルが「高レベル」、「中レベル」および「低レベル」のいずれであるかを判断する。受信信号レベルが「高レベル」の場合には、ステップＳＡ３０に進み、現在のチャンネル番号に対応した受信感度を保持する感度レジスタ（チャンネル番号）に「良好」を表すデータをストアする。受信信号レベルが「中レベル」の場合には、ステップＳＡ３１に進み、現在のチャンネル番号に対応した受信感度を保持する感度レジスタ（チャンネル番号）に「やや悪い」を表すデータをストアする。受信信号レベルが「低レベル」の場合には、ステップＳＡ３２に進み、現在のチャンネル番号に対応した受信感度を保持する感度レジスタ（チャンネル番号）に「悪い」を表すデータをストアする。
【００４０】
こうして、初期値のチャンネル番号について受信感度を測定し終えると、制御部１０２は図６に示すステップＳＡ３３に処理を進め、チャンネル番号が最大に達したか、すなわち全てのチャンネルについて受信感度を測定するチャンネルスキャンが完了したかどうかを判断する。チャンネルスキャンの途中であると、判断結果は「ＮＯ」になり、ステップＳＡ３４に進み、チャンネル番号をインクリメントした後に上述のステップＳＡ２４（図５参照）に処理を戻し、次のチャンネルの受信感度を測定する。以後、チャンネルスキャンが完了するまでステップＳＡ２４〜ＳＡ３４を繰り返す。そして、チャンネルスキャンが完了すると、ステップＳＡ３３の判断結果が「ＹＥＳ」になり、ステップＳＡ３５に進む。
【００４１】
ステップＳＡ３５では、チャンネルスキャンによって感度レジスタ（チャンネル番号）にストアされたチャンネル毎の受信感度を、例えば図７に図示する一例のように、表示部１０８に画面表示する。次いで、ステップＳＡ３６では、チャンネルスキャンの終了を指示する終了スイッチがオン操作されるまで待機し、当該終了スイッチのオン操作に応じて、判断結果が「ＹＥＳ」となり、ステップＳＡ３７に進む。ステップＳＡ３７では、前述したステップＳＡ２２（図５参照）においてＲＡＭ１０４の所定記憶エリアに退避格納しておいたＢＰＦ係数を読み出してバンドパスフィルタ（ＢＰＦ）２０２ｂに供給した後、前述したステップＳＡ１４（図４参照）に処理を戻す。これにより、ＴＶ部２００は、チャンネルスキャンを開始する前の放送受信状態に復帰する。
【００４２】
このように、第１の実施形態では、アンテナを介して入力される受信信号から複数のチャンネルの放送信号を含む放送信号帯域を一括して抽出し、抽出した放送信号帯域を周波数変換して複数のチャンネルの放送信号を含む中間周波信号を形成する。中間周波信号に含まれる複数のチャンネルの放送信号を個別に抽出し、抽出した各チャンネルの放送信号の受信感度を測定して記憶するチャンネルスキャンを行う。そして、チャンネルスキャン終了時に、記憶された各チャンネルの受信感度を一覧表示するので、１つのチューナで選局受信するよう構成されていても、全てのチャンネルの受信感度を即座に確認することが可能になっている。
【００４３】
Ｂ．第２の実施形態
次に、図８〜図１２を参照して第２の実施形態について説明する。上述した第１の実施形態では、各チャンネルの受信感度を測定するチャンネルスキャンを行っている間は復調部２０２のバンドパスフィルタ（ＢＰＦ）２０２ｂに供給するＢＰＦ係数を変化させるため放送視聴することができない。そこで、第２の実施形態では、あるチャンネルの番組を視聴しながら、視聴していない他のチャンネルの受信感度をモニタしたり、視聴していない他のチャンネルの番組を録画したりすることが可能な放送受信装置を具現する。
【００４４】
（１）構成
図８は、第２の実施形態による携帯電話１０におけるＴＶ部２００の部分的構成を示すブロック図である。この図において、図１又は図２に図示した第１の実施形態と共通する構成要素には同一の番号を付し、その説明を省略する。図８に図示する第２の実施形態が第１の実施形態と相違する点は、復調部２０２において、ＡＤ変換器（ＡＤＣ）２０２ａの後段を形成するバンドパスフィルタ（ＢＰＦ）２０２ｂ、同期処理部２０２ｃ、検波処理部２０２ｄおよび誤り訂正処理部２０２ｅを、受信チャンネルに対応して複数系統設け、これに応じて復号部２０３も受信チャンネル分備える構成としたことにある。
このような構成において、受信チャンネルに対応する各系統のバンドパスフィルタ（ＢＰＦ）２０２ｂには、それぞれ個別に受信するチャンネルの放送信号を抽出するＢＰＦ係数が予め設定される。したがって、チューナ部２０１が複数のチャンネルの放送信号を含む中間周波信号を発生すると、復調部２０２および復号部２０２が各チャンネルの放送をそれぞれ各系統で復調復号する為、全てのチャンネルについて同時受信が可能になる。
【００４５】
また、第２の実施形態では、ＲＡＭ１０４の所定記憶エリアに録画メモリを設けると共に、操作部１０５に録画の開始・終了を指示する録画スイッチを配設し、録画開始指示されたチャンネルで受信した放送の映像／音声データを録画メモリに格納する録画機能をＴＶ部２００に設けている。さらに操作部１０５には、上記録画スイッチの他、ＴＶ部２００をオンオフ設定するＴＶスイッチ、放送視聴するチャンネル（後述の指定チャンネルに相当）を変更する指定チャンネル変更スイッチ、放送録画するチャンネル（後述の録画チャンネルに相当）を変更する録画チャンネル変更スイッチが配設される。
【００４６】
（２）動作
次に、図９〜図１２を参照し、第２の実施形態における制御部１０２の動作を説明する。操作部１０５に配設される電源スイッチが操作されて携帯電話１０をパワーオンすると、制御部１０２は前述した第１の実施形態と同様、オフフック／オンフックスイッチ操作に応じて、携帯電話部１００に係わる処理（図３のステップＳＡ１〜ＳＡ１１参照）を実行する。そして、この後にＴＶ部２００に関する操作部１０５のスイッチが操作された場合、図９〜図１１に示すステップＳＢ１〜ＳＢ３３からなる第２の実施形態による動作を実行する。
【００４７】
先ず、ユーザがＴＶスイッチをオン操作したとする。そうすると、図９に示すステップＳＢ１の判断結果が「ＹＥＳ」になり、ステップＳＢ２に進み、ＴＶ部２００（図８に図示するチューナ部２０１、復調部２０２および復号部２０３）をオン状態に設定する。続いて、ステップＳＢ３〜ＳＢ４では、感度チャンネル、指定チャンネルおよび録画チャンネルにそれぞれ初期値をストアする。次いで、ステップＳＢ５では、指定チャンネルの表示エリアの表示形態を変更する。
【００４８】
すなわち、ＴＶ部２００をオン設定した状態では、例えば図１２（ａ）に図示する一例のＴＶ表示画面Ｄが表示部１０８に画面表示される。ＴＶ表示画面Ｄは、テレビ映像表示エリアＤＡ１および表示エリアＤＡ２から構成される。テレビ映像表示エリアＤＡ１には、指定チャンネルで受信する放送映像が表示される。表示エリアＤＡ２には、同時受信するチャンネル１，３，４，６，８，１０に各々対応したチャンネル表示マークＭ１，Ｍ３，Ｍ４，Ｍ６，Ｍ８，Ｍ１０が表示される。上記ステップＳＢ５においては、この表示エリアＤＡ２に表示される各チャンネル表示マークの内、指定チャンネルのチャンネル表示マークＭについて表示形態を変更する。例えばチャンネル８が指定チャンネルの場合には、図１２（ａ）に図示するように、チャンネル表示マークＭ８を他のマークより暗く（黒く）表示し、視聴中のチャンネルであることを識別表示する。この場合、テレビ映像表示エリアＤＡ１には、チャンネル８で受信する放送映像が表示される。
【００４９】
次に、ステップＳＢ６では、録画フラグがオン設定されているか否か、つまり操作部１０５に配設される録画スイッチの操作により録画開始指示されているかどうかを判断する。録画開始指示されていなければ、判断結果は「ＮＯ」になり、後述するステップＳＢ９（図１０参照）に進む。一方、録画開始指示されていると、判断結果が「ＹＥＳ」になり、ステップＳＢ７〜ＳＢ８を実行する。ステップＳＢ７〜ＳＢ８では、録画チャンネルの放送信号を復調復号して得た映像／音声データをＲＡＭ１０４の録画メモリにストアする録画処理を行う。そして、図１０に図示するステップＳＢ９〜ＳＢ１０に進み、指定チャンネルの放送信号を復調復号して得た映像／音声データを表示部１０８（ＴＶ表示画面Ｄのテレビ映像表示エリアＤＡ１）に映像表示すると共に、スピーカ１０７から音声再生する。
【００５０】
次いで、ステップＳＢ１１では、感度チャンネルが指定チャンネルに一致していないかどうかを判断する。放送視聴中の指定チャンネルについては受信感度を測定する必要がない為、感度チャンネルと指定チャンネルとが一致した場合には、判断結果が「ＮＯ」となり、後述するステップＳＢ１９（図１１参照）に処理を進める。
【００５１】
一方、感度チャンネルが指定チャンネルに一致していなければ、上記ステップＳＢ１１の判断結果は「ＹＥＳ」になり、ステップＳＢ１２に進む。ステップＳＢ１２では、ＴＶ部２００の復調部２０２（図８参照）において、感度チャンネルに対応する系統のバンドパスフィルタ（ＢＰＦ）２０２ｂの出力に基づき、感度チャンネルの受信信号レベルを検出する。そして、ステップＳＢ１３では、検出した受信信号レベルが受信可能レベルであるか否かを判断する。受信可能レベルでなければ、判断結果は「ＮＯ」になり、ステップＳＢ１４に進む。ステップＳＢ１４では、上述した表示エリアＤＡ２（図１２参照）において、感度チャンネルの表示エリア（チャンネル表示マークＭ）を「受信不可」を表す表示形態に変更した後、図１１に示すステップＳＢ１９に処理を進める。
【００５２】
すなわち、本実施形態では、同時受信する複数のチャンネルの内、放送視聴中の指定チャンネル以外の他のチャンネル（録画チャンネルを含む）が受信感度を測定する感度チャンネルとなり、初期値からチャンネル番号を歩進させながら、順番に感度チャンネルの受信感度を測定する。受信感度が受信不可レベルであることが判明した感度チャンネルについては、上記ステップＳＢ１４において、表示エリアＤＡ２の対応するチャンネル表示マークＭを「受信不可」を表す表示形態に変更する。例えば、図１２（ａ）に図示する一例のように、感度チャンネルとなるチャンネル６の受信感度が受信不可レベルの場合、チャンネル表示マークＭ６を非表示（透明表示）として受信不可であることを明示する。
【００５３】
一方、検出した受信信号レベルが受信可能レベルであると、上記ステップＳＢ１３の判断結果は「ＹＥＳ」になり、ステップＳＢ１５に進み、検出した受信信号レベルが「高レベル」、「中レベル」および「低レベル」のいずれであるかを判断する。受信信号レベルが「高レベル」の場合には、ステップＳＢ１６に進み、感度チャンネルに対応する表示エリアＤＡ２中のチャンネル表示マークＭを、「良好」を表す表示形態にする。受信信号レベルが「中レベル」の場合には、ステップＳＢ１７に進み、感度チャンネルに対応する表示エリアＤＡ２中のチャンネル表示マークＭを、「やや悪い」を表す表示形態にする。受信信号レベルが「低レベル」の場合には、ステップＳＢ１８に進み、感度チャンネルに対応する表示エリアＤＡ２中のチャンネル表示マークＭを、「悪い」を表す表示形態にする。
【００５４】
こうして、初期値で指定された感度チャンネルについて受信感度を測定し終えると、制御部１０２は図１１に示すステップＳＢ１９に処理を進める。ステップＳＢ１９では、感度チャンネルが最大に達したか、つまり放送視聴中の指定チャンネル以外の全てのチャンネルについて受信感度を測定するチャンネルスキャンが完了したかどうかを判断する。チャンネルスキャンの途中であると、判断結果は「ＮＯ」になり、ステップＳＢ２０に進み、感度チャンネルをインクリメントした後、後述するステップＳＢ２２に処理を進める。これに対し、チャンネルスキャンが完了した場合には、上記ステップＳＢ１９の判断結果が「ＹＥＳ」になり、ステップＳＢ２１に進み、感度チャンネルを初期値に戻す。
【００５５】
そして、ステップＳＢ２２以降では、ＴＶスイッチのオフ操作、指定チャンネル変更スイッチ操作、録画スイッチ操作および録画チャンネル変更スイッチ操作に応じた処理を実行する。なお、これらスイッチ操作が行われない場合には、後述するステップＳＢ２２、ＳＢ２４、ＳＢ２６、ＳＢ２９およびＳＢ３２の各判断結果が「ＮＯ」になり、前述したステップＳＢ９（図９参照）に処理を戻す。
【００５６】
ＴＶスイッチがオフ操作された場合には、ステップＳＢ２２の判断結果が「ＹＥＳ」になり、ステップＳＢ２３に進み、ＴＶ部２００をオフ設定する。以後、前述した第１の実施形態と同様、図３に図示するステップＳＡ２に処理を戻して待受画面表示状態に復帰する。
指定チャンネル変更スイッチが操作された場合には、ステップＳＢ２４の判断結果が「ＹＥＳ」になり、ステップＳＢ２５に進み、指定チャンネル変更スイッチ操作に応じて指定チャンネルを変更した後、前述したステップＳＢ５（図９参照）に処理を戻す。
【００５７】
録画スイッチがオン操作された場合には、ステップＳＢ２６の判断結果が「ＹＥＳ」になり、ステップＳＢ２７に進み、録画フラグをオン設定する。そして、ステップＳＢ２８に進み、ＴＶ表示画面Ｄの表示エリアＤＡ２において、録画チャンネルに対応するチャンネル表示マークＭを「録画中」を表す表示形態に変更した後、前述したステップＳＢ５（図９参照）に処理を戻す。なお、チャンネル表示マークＭを「録画中」を表す表示形態に変更する態様としては、例えば図１２（ａ）に図示する一例のように、チャンネル表示マークＭ１周囲を黒色表示枠で表示し、チャンネル１が録画中であることを明示する。
【００５８】
録画スイッチがオフ操作された場合には、ステップＳＢ２９の判断結果が「ＹＥＳ」になり、ステップＳＢ３０に進み、録画フラグをオフ設定する。そして、ステップＳＢ３１に進み、ＴＶ表示画面Ｄの表示エリアＤＡ２において、録画チャンネルに対応するチャンネル表示マークＭを通常の表示形態とした後、前述したステップＳＢ５（図９参照）に処理を戻す。
録画チャンネル変更スイッチが操作された場合には、ステップＳＢ３２の判断結果が「ＹＥＳ」になり、ステップＳＢ３３に進み、録画チャンネル変更スイッチ操作に応じて指定チャンネルを変更する。そして、ステップＳＢ２８に進み、録画チャンネルの変更に対応して、該当するチャンネル表示マークＭを「録画中」を表す表示形態に変更してから、前述したステップＳＢ５（図９参照）に処理を戻す。
【００５９】
以上のように、第２の実施形態では、アンテナを介して入力される受信信号から複数チャンネル分の放送信号帯域を一括して抽出し、抽出した複数チャンネル分の放送信号帯域を周波数変換して複数のチャンネルの放送信号を含む中間周波信号を形成する。そして、中間周波信号に含まれる複数のチャンネルの放送信号をそれぞれチャンネル別に復調復号する同時受信を行い、同時受信するチャンネルの内、実際に視聴する指定チャンネルで復調復号された映像／音声を再生する一方、指定チャンネル以外の他のチャンネル（録画チャンネルを含む）の受信感度を測定しながら、録画指定された録画チャンネルを録画するので、あるチャンネルを視聴中に視聴していない他のチャンネルの受信感度をモニタしたり、番組録画したりすることができる。
【００６０】
また、第２の実施形態では、表示部１０８に、指定チャンネルで復調復号された映像を表示するテレビ映像表示エリアＤＡ１と同時受信するチャンネルに各々対応したチャンネル表示マークＭを表示する表示エリアＤＡ２とを設け、表示エリアＤＡ２では、指定チャンネル以外の他のチャンネルにおいて測定された受信感度に応じて、対応するチャンネル表示マークＭの表示形態を変更すると共に、指定チャンネルおよび録画チャンネルに対応したチャンネル表示マークＭの表示形態を変更させるので、同時受信する複数のチャンネルの内、どのチャンネルを視聴および録画しているかや、視聴していない他のチャンネルの受信感度をユーザに一目瞭然にすることができる。
【００６１】
なお、指定チャンネル以外の他のチャンネルにおいて測定された受信感度に応じて、対応するチャンネル表示マークＭの表示形態を変更する態様としては、図１２（ａ）に図示した一例に限らず、例えば同図（ｂ）の表示エリアＤＡ２のように、表示バーの数で受信感度を表現することも可能である。
また、上述した第２の実施形態では、ＴＶ部２００がオン設定されている状態では絶えず感度チャンネルの受信感度を測定するチャンネルスキャンを行う動作となるが、これに限らず、一定時間経過毎にチャンネルスキャンを行う態様や、ＴＶ部２００がオン設定された時点のみチャンネルスキャンを行う態様としてもよい。さらに、携帯電話１０が公知のＧＰＳ機能を具備する場合には、ＧＰＳ機能を用いて一定時間間隔毎に取得される位置データに基づき、前回取得した位置データと今回取得する位置データとの差分から移動距離を算出し、それが所定距離を超えた時にチャンネルスキャンを実行することも可能である。
【図面の簡単な説明】
【００６２】
【図１】第１の実施形態の構成を示すブロック図である。
【図２】第１の実施形態におけるチューナ部２０１および復調部２２の構成を示すブロック図である。
【図３】第１の実施形態の動作を示すフローチャートである。
【図４】第１の実施形態の動作を示すフローチャートである。
【図５】第１の実施形態の動作を示すフローチャートである。
【図６】第１の実施形態の動作を示すフローチャートである。
【図７】表示部１０８に画面表示される受信感度測定結果の一例を示す図である。
【図８】第２の実施形態における復調部２２および復号部２０３の構成を示すブロック図である。
【図９】第２の実施形態の動作を示すフローチャートである。
【図１０】第２の実施形態の動作を示すフローチャートである。
【図１１】第２の実施形態の動作を示すフローチャートである。
【図１２】表示部１０８に表示されるＴＶ表示画面Ｄの一例を示す図である。
【符号の説明】
【００６３】
１０  携帯電話
１０１  通信処理部
１０２  制御部
１０３  ＲＯＭ
１０４  ＲＡＭ
１０５  操作部
１０６  マイク
１０７  スピーカ
１０８  表示部
２０１  チューナ部
２０２  復調部
２０３  復号部
【図１】
2005269506.tif 000003
【図２】
2005269506.tif 000004
【図３】
2005269506.tif 000005
【図４】
2005269506.tif 000006
【図５】
2005269506.tif 000007
【図６】
2005269506.tif 000008
【図７】
2005269506.tif 000009
【図８】
2005269506.tif 000010
【図９】
2005269506.tif 000011
【図１０】
2005269506.tif 000012
【図１１】
2005269506.tif 000013
【図１２】
2005269506.tif 000014